(57)【要約】【課題】  印刷途中の印字結果確認のため、手動で用紙位置を動かしても自動的に印字位置を元の位置に移動することを可能にする。【解決手段】  印刷を実行する印刷機構部と、印刷機構部を制御する印刷制御部と、上位装置からのコマンドおよびデータを処理するデータ制御部と、用紙折り目を検出する用紙折り目センサと、用紙折り目センサ動作を検出する手段と、用紙折り目センサの動作情報をデータ処理部へ通知する手段と、操作パネルとを有する連続紙を用いる印刷装置において、折り目センサ作動から上位装置からのコマンドによる紙送り量を加算し記憶する手段と、逆方向に紙送りをして用紙折り目センサ作動まで用紙を戻す手段とを有する。【選択図】図１
2005199591.tif 000002
【特許請求の範囲】
【請求項１】
印刷を実行する印刷機構部と、印刷機構部を制御する印刷制御部と、上位装置からのコマンドおよびデータを処理するデータ制御部と、用紙折り目を検出する用紙折り目センサと、用紙折り目センサ動作を検出する手段と、用紙折り目センサの動作情報をデータ処理部へ通知する手段と、操作パネルとを有する連続紙を用いる印刷装置において、折り目センサ作動からと上位装置からのコマンドによる紙送り量を加算し記憶する手段と、逆方向に紙送りをして用紙折り目センサ作動まで用紙を戻す手段とを有することを特徴とする連続紙を用いる印刷装置。
【発明の詳細な説明】
【技術分野】
【０００１】
本発明は、連続紙を用いる印刷装置に関するものである。
【背景技術】
【０００２】
従来の連続紙を用いる印刷装置には、用紙の折り目を検出して、印刷ジョブの先頭位置を折り目に合わせるという技術がある（例えば、特許文献１参照。）。
【０００３】
しかし、ジョブの途中で印刷結果を目視したい場合、印刷機構部内にある印刷結果は手動で紙送りをしたり、操作パネルの改頁スイッチや改行スイッチを使用して、印刷結果を目視できる位置まで紙送りする必要である。
【０００４】
この場合、印刷ジョブにはない紙送りを使用者の介入により行うため、用紙位置を戻す操作が必要であるが、手動で紙送りをした場合は正確に用紙位置を戻すことは困難であり、印字位置がずれたり、ジョブの途中では使用者の介入を禁止したりするなどの問題があった。
【０００５】
この改善策として、センサ作動後のコマンドによる紙送り量を記憶しておき、操作パネルからの要求情報があった場合、用紙の折り目検出センサが作動するまで逆紙送り処理を行った後、記憶しているセンサ作動後の縦方向位置まで自動的に紙送りをする方法がある。図２はこの方法による印刷装置の概略を示すための説明図である。図２で２１は連続用紙、２２は用紙折り目センサ、２３は用紙折り目、２４は印刷機構部、２５は用紙折り目からの算出距離（Ａ）、２６は印刷中の位置、２７は手動で動かした距離（Ｂ）である。
【０００６】
【特許文献１】特願平５−２８９３３７号公報
【発明の開示】
【発明が解決しようとする課題】
【０００７】
従来の連続紙を用いる印刷装置は、印字した直後の印刷結果は紙送りをするか、手動紙送りノブにて用紙を移動させなければ確認できないが、手動で印字位置を移動した場合、設定した用紙位置がずれてしまい、印字位置を移動する前の印字位置に正確に戻すことが困難であった。
【０００８】
本発明の目的は、手動で用紙位置を動かした場合でも、動かす前の印字位置に自動的に再設定する印刷装置を提供することにある。
【課題を解決するための手段】
【０００９】
上記課題を解決するために、本発明の連続紙を用いる印刷装置は、連続用紙の折り目を検出する手段と、折り目検出からのコマンドによる紙送り量を加算し記憶する手段と、用紙位置を再設定するために一度用紙折り目センサまで用紙を逆方向に戻す手段と、用紙折り目を折り目センサ位置まで戻したあと記憶している用紙折り目センサからの紙送り量分の紙送りを実行する手段とを備えたことを特徴とする。
【発明の効果】
【００１０】
本発明の連続紙を用いる印刷装置は、手動ノブで用紙位置を動かしても動かす前の用紙位置に戻すことが出来るため、印刷の途中経過を確認しながら、用紙の無駄なく印刷出来るという利点がある。
【発明を実施するための最良の形態】
【００１１】
印刷機構部内置にある印刷結果を目視する為に手動で用紙を動かした後、もとの用紙位置に戻すという目的を最小の部品点数で容易に実現した。
【００１２】
以下、本発明の実施例を図面を参照して説明する。
【００１３】
図１に本発明の一実施例のブロック図、図２に本発明の一実施例を示した概略図、図３に本発明の一実施例を示した印刷制御部の流れ図、図４および図５に本発明の一実施例を示したデータ処理部の流れ図を示す。
【００１４】
図１において、１は印刷機構部、２は用紙折り目センサ、３は印刷制御部、４は印刷データおよび紙送り量をデータ処理部から受信する手段、５は用紙折り目センサの動作情報をデータ処理部へ通知する手段、６は印刷データおよび紙送り量を印刷機構部へ送信する手段、７は用紙折り目センサの動作を検出する手段、８はデータ処理部、９は上位装置からのコマンドおよびデータを送受信する手段、１０はコマンドおよびデータを解析し印刷制御部へ送信する手段、１１は印刷制御部から用紙折り目センサの動作情報を受信する手段、１２はコマンドによる紙送り量を加算し距離（Ａ）を記憶する手段、１３は操作パネルからの情報を検出する手段、１４は操作パネルの情報から逆方向紙送りを行う手段、１５は記憶されている距離（Ａ）分の順方向紙送りをする手段、１６は操作パネルである。
【００１５】
データ処理部８が上位装置からのコマンドおよびデータを送受信する手段９によりデータを受信すると、コマンドおよびデータを解析し印刷制御部へ送信する手段１０により印刷制御部３へデータと紙送り量を送信する。印刷制御部３は印刷データおよび紙送り量を受信する手段４により受信すると印刷データおよび紙送り量を印刷機構部へ送信する手段６により印刷機構部１に送信し、印刷と紙送りを行う。紙送り動作により用紙折り目センサ２が用紙折り目を検出すると、用紙折り目センサの動作を検出する手段７により検出され、その情報が用紙折り目センサの動作情報をデータ処理部へ通知する手段５によりデータ処理部に通知する（フローチャートを図３に示す）。データ処理部８は印刷制御部から用紙折り目センサの動作情報を受信する手段１１により用紙折り目を検出すると、コマンドによる紙送り量を加算し記憶する手段１２により距離（Ａ）を記憶する（フローチャートを図４に示す）。操作パネル１６から用紙位置を戻す情報をデータ処理部に通知すると、操作パネルの情報から逆方向紙送りを行う手段１４により用紙折り目センサ２が作動するまで逆紙送りを行う。用紙折り目センサ２が作動したら逆方向の紙送りを停止し、記憶されている距離（Ａ）分の順方向紙送りをする手段１５にて印刷中である印字位置に戻す（フローチャートを図５に示す）。
【図面の簡単な説明】
【００１６】
【図１】本発明の一実施例を示したブロック図である。
【図２】本発明の一実施例を示した概略図である。
【図３】本発明の一実施例を示した印刷制御部の流れ図である。
【図４】本発明の一実施例を示したデータ処理部における折り目距離算出処理の流れ図である。
【図５】本発明の一実施例を示したデータ処理部における用紙位置を戻す処理の流れ図である。
【符号の説明】
【００１７】
１    印刷機構部
２    用紙折り目センサ
３    印刷制御部
４    印刷データおよび紙送り量をデータ処理部から受信する手段
５    用紙折り目センサの動作情報をデータ処理部へ通知する手段
６    印刷データおよび紙送り量を印刷機構部へ送信する手段
７    用紙折り目センサの動作を検出する手段
８    データ処理部
９    上位装置からのコマンドおよびデータを送受信する手段
１０  コマンドおよびデータを解析し印刷制御部へ送信する手段
１１  印刷制御部から用紙折り目センサの動作情報を受信する手段
１２  コマンドによる紙送り量を加算し記憶する手段
１３  操作パネルからの情報を検出する手段
１４  操作パネルの情報から逆方向紙送りを行う手段
１５  記憶されている距離（Ａ）分の順方向紙送りをする手段
１６  操作パネル
２１  連続用紙
２２  用紙折り目センサ
２３  用紙折り目
２４  印刷機構部
２５  折り目から折り目センサ間の距離（Ａ）
２６  印刷中の位置
２７  手動で用紙を動かした距離（Ｂ）
３１  紙送りを受信する手段、
３２  印刷機構部へ紙送り量を送信する手段
３３  折り目センサの動作を検出する手段
３４  折り目センサの動作情報をデータ処理部へ通知する手段
４１  紙送り判定手段
４２  折り目距離算出判定手段
４３  折り目距離の紙送り量算出処理
４４  印刷機構部への紙送り量送信手段
５１  用紙位置の戻し要求判定手段
５２  逆方向紙送り手段
５３  用紙折り目センサの作動判定手段
５４  距離（Ａ）までの順方向紙送り手段
【図１】
2005199591.tif 000003
【図２】
2005199591.tif 000004
【図３】
2005199591.tif 000005
【図４】
2005199591.tif 000006
【図５】
2005199591.tif 000007